(57)【要約】      （修正有）【課題】設定変更に関するユーザの操作負担を軽減するのに好適な撮影装置及びメニュー表示設定方法を提供する。【解決手段】外部装置が着脱可能に装着されるホットシューを有し、ホットシューに装着された外部装置から該ホットシューの端子を介して入力される入力信号に基づいて撮影装置の設定を変更する設定変更手段を備える。【選択図】図４
2016051957.tif 000002
【特許請求の範囲】
【請求項１】
外部装置が着脱可能に装着されるホットシューを有する撮影装置であって、
前記ホットシューに装着された外部装置から該ホットシューの端子を介して入力される入力信号に基づいて前記撮影装置の設定を変更する設定変更手段
を備える、
撮影装置。
【請求項２】
前記入力信号は、
設定変更対象の設定値を含み、
前記設定変更手段は、
前記ホットシューより入力される設定値に基づいて前記撮影装置の設定を変更する、
請求項１に記載の撮影装置。
【請求項３】
設定変更対象の設定値を記憶する設定値記憶手段
を備え、
前記入力信号は、
前記撮影装置の設定変更を指示するための指示信号であり、
前記設定変更手段は、
前記ホットシューより入力される指示信号に従い、前記撮影装置の設定を変更する、
請求項１に記載の撮影装置。
【請求項４】
所定のメニューを所定の表示画面に表示する表示手段
を備え、
前記設定変更手段は、
前記ホットシューより入力される入力信号に基づいて前記メニューを構成する構成色及び該メニューの内容の少なくとも一方を変更する、
請求項１から請求項３の何れか一項に記載の撮影装置。
【請求項５】
前記撮影装置は、
特定の外装色を有し、
前記設定変更手段は、
前記ホットシューより入力される入力信号に基づいて前記メニューの構成色を前記外装色と同じ系統の色に変更する、
請求項４に記載の撮影装置。
【請求項６】
前記外部装置は、
特定のキャラクタを模した形状を含み、
前記設定変更手段は、
前記ホットシューより入力される入力信号に基づいて前記キャラクタに関する画像を前記メニューが表示される表示画面内に表示させる、
請求項４又は請求項５に記載の撮影装置。
【請求項７】
音声を再生する音声再生手段
を備え、
前記外部装置は、
特定のキャラクタを模した形状を含み、
前記設定変更手段は、
前記ホットシューより入力される入力信号に基づいて前記キャラクタに関する音声を前記音声再生手段で再生させる、
請求項４から請求項６の何れか一項に記載の撮影装置。
【請求項８】
ユーザの操作を受け付ける操作手段
を備え、
前記設定変更手段は、
前記ホットシューより入力される入力信号に基づいて前記操作手段による操作内容を変更する、
請求項１から請求項７の何れか一項に記載の撮影装置。
【請求項９】
前記外部装置は、
閃光装置又は該閃光装置と異なるアクセサリであり、
前記ホットシューは、
前記外部装置と電気的に接続される端子であって、前記閃光装置と前記アクセサリとで共用される端子を含む、
請求項１から請求項８の何れか一項に記載の撮影装置。
【請求項１０】
前記端子を介して前記外部装置に電力を供給する電力供給手段
を備える、
請求項１から請求項９の何れか一項に記載の撮影装置。
【請求項１１】
外部装置が着脱可能に装着されるホットシューを有する撮影装置の表示画面内のメニューの表示を設定するメニュー表示設定方法であって、
前記ホットシューに装着された外部装置から該ホットシューの端子を介して入力される入力信号に基づいて前記メニューを構成する構成色及び該メニューの内容の少なくとも一方を変更する、
メニュー表示設定方法。
【発明の詳細な説明】
【技術分野】
【０００１】
本発明は、撮影装置及び該撮影装置におけるメニュー表示設定方法に関する。
【背景技術】
【０００２】
デジタルカメラ等の撮影装置は、撮影条件をはじめとする各種設定をユーザに変更させるためのメニューを表示画面に表示させることが可能である。この種の撮影装置の具体的構成が、例えば特許文献１に記載されている。特許文献１に記載の撮影装置は、動画撮影中に撮影画像と共にメニューを表示画面に表示させ、表示されたメニューに対する操作に従って撮影条件等を変更する。
【０００３】
特許文献１に例示される、この種のメニューは、ユーザのスキルに応じて適宜変更されることが望ましい。例えば、フラッシュについて、一般ユーザ向けには、「自動発光／強制発光／発光禁止」「先幕シンクロ／後幕シンクロ」「赤目軽減オン／オフ」等が設定できるメニューとなっているが、初心者ユーザ向けには、「オート（自動発光＋赤目オン）／オフ（発光禁止＋赤目軽減オフ）」だけが設定できるようにメニューが変更されることが考えられる。
【０００４】
また、近年、撮影装置のボディをユーザの好みのカラーにオーダするシステムが知られている。当該システムでは、メニューを構成する構成色が、製品出荷時にメーカ側で又は製品を受け取ったユーザ側で、ボディカラーと同じ系統の色に設定変更される。
【先行技術文献】
【特許文献】
【０００５】
【特許文献１】特開２００６−９４１４５号公報
【発明の概要】
【発明が解決しようとする課題】
【０００６】
しかし、撮影装置の操作に不慣れな初心者ユーザによっては、撮影条件やメニューの構成色、撮影装置のその他設定を変更するスキル自体が備わっていないという問題がある。また、撮影装置の操作に慣れたユーザもこれらの設定を変更することが煩わしい場合がある。例として、起動後に毎回、使用頻度の高い設定に変更することは、ユーザにとって煩わしい。この場合、使用頻度の高い設定を撮影装置に保存さえしておけば、そのような設定変更操作の煩わしさから解放される。しかし、撮影装置の機種によっては、変更後の設定値を保存する機能が備わっていないという問題がある。
【０００７】
本発明は上記の事情に鑑みてなされたものであり、その目的とするところは、設定変更に関するユーザの操作負担を軽減するのに好適な撮影装置及びメニュー表示設定方法を提供することである。
【課題を解決するための手段】
【０００８】
本発明の一実施形態に係る撮影装置は、外部装置が着脱可能に装着されるホットシューを有するものであり、ホットシューに装着された外部装置から該ホットシューの端子を介して入力される入力信号に基づいて撮影装置の設定を変更する設定変更手段を備える。
【０００９】
本発明の一実施形態によれば、外部装置をホットシューに装着するという簡易な作業だけで、撮影装置の設定変更が自動的に行われる。そのため、ユーザの操作負担が軽減される。
【００１０】
また、本発明の一実施形態において、外部装置からホットシューの端子を介して入力される入力信号は、例えば設定変更対象の設定値を含む。この場合、設定変更手段は、ホットシューより入力される設定値に基づいて撮影装置の設定を変更してもよい。
【００１１】
また、本発明の一実施形態に係る撮影装置は、設定変更対象の設定値を記憶する設定値記憶手段を備える構成としてもよい。この場合、外部装置からホットシューの端子を介して入力される入力信号は、撮影装置の設定変更を指示するための指示信号である。設定変更手段は、ホットシューより入力される指示信号に従い、撮影装置の設定を変更してもよい。
【００１２】
また、本発明の一実施形態に係る撮影装置は、所定のメニューを所定の表示画面に表示する表示手段を備える構成としてもよい。この場合、設定変更手段は、ホットシューより入力される入力信号に基づいてメニューを構成する構成色及び該メニューの内容の少なくとも一方を変更してもよい。
【００１３】
また、本発明の一実施形態に係る撮影装置は、特定の外装色を有する構成としてもよい。この場合、設定変更手段は、ホットシューより入力される入力信号に基づいてメニューの構成色を撮影装置の外装色と同じ系統の色に変更してもよい。
【００１４】
また、本発明の一実施形態において、外部装置は、特定のキャラクタを模した形状を含む構成としてもよい。この場合、設定変更手段は、ホットシューより入力される入力信号に基づいてキャラクタに関する画像をメニューが表示される表示画面内に表示させてもよい。
【００１５】
また、本発明の一実施形態に係る撮影装置は、音声を再生する音声再生手段を備える構成としてもよい。この場合、外部装置は、例えば特定のキャラクタを模した形状を含むものである。設定変更手段は、ホットシューより入力される入力信号に基づいてキャラクタに関する音声を音声再生手段で再生させてもよい。
【００１６】
また、本発明の一実施形態に係る撮影装置は、ユーザの操作を受け付ける操作手段を備える構成としてもよい。この場合、設定変更手段は、ホットシューより入力される入力信号に基づいて操作手段による操作内容を変更してもよい。
【００１７】
また、本発明の一実施形態において、外部装置は、例えば閃光装置又は該閃光装置と異なるアクセサリである。ホットシューは、外部装置と電気的に接続される端子であって、閃光装置とアクセサリとで共用される端子を含む構成としてもよい。
【００１８】
また、本発明の一実施形態に係る撮影装置は、ホットシューに設けられた端子を介して外部装置に電力を供給する電力供給手段を備える構成としてもよい。
【００１９】
また、本発明の一実施形態に係るメニュー表示設定方法は、外部装置が着脱可能に装着されるホットシューを有する撮影装置の表示画面内のメニューの表示を設定する方法であり、ホットシューに装着された外部装置から該ホットシューの端子を介して入力される入力信号に基づいてメニューを構成する構成色及び該メニューの内容の少なくとも一方を変更するものである。
【発明の効果】
【００２０】
本発明の実施形態によれば、設定変更に関するユーザの操作負担を軽減するのに好適な撮影装置及びメニュー表示設定方法が提供される。
【図面の簡単な説明】
【００２１】
【図１】本発明の実施形態の撮影装置の構成を示すブロック図である。
【図２】本発明の実施形態において閃光装置をホットシューに装着したときの構成を示すブロック図である。
【図３】本発明の実施形態においてアクセサリをホットシューに装着したときの構成を示すブロック図である。
【図４】本発明の実施形態において外部装置がホットシューに装着されたときに撮影装置側ＣＰＵが実行する処理フローを示す図である。
【図５】ケース１においてアクセサリがホットシューに装着される前後の状態を示す図である。
【図６】ケース２においてアクセサリがホットシューに装着されたときの状態を示す図である。
【図７】ケース３においてアクセサリがホットシューに装着されたときの状態を示す図である。
【発明を実施するための形態】
【００２２】
［撮影装置１全体の構成］
以下、本発明の実施形態の撮影装置について図面を参照しながら説明する。以下においては、本発明の一実施形態として、デジタル一眼レフカメラについて説明する。なお、撮影装置は、デジタル一眼レフカメラに限らず、例えば、ミラーレス一眼カメラ、コンパクトデジタルカメラ、ビデオカメラ、カムコーダ、タブレット端末、ＰＨＳ（Personal Handy phone System）、スマートフォン、フィーチャフォン、携帯ゲーム機など、撮影機能を有する別の形態の装置に置き換えてもよい。
【００２３】
図１は、本実施形態の撮影装置１の構成を示すブロック図である。図１に示されるように、撮影装置１は、撮影装置側ＣＰＵ（Central Processing Unit）１００、操作部１０２、絞り・シャッタ駆動回路１０４、撮影レンズ１０６、絞り１０８、シャッタ１１０、固体撮像素子１１２、信号処理回路１１４、画像処理エンジン１１６、バッファメモリ１１８、カード用インタフェース１２０、ＬＣＤ（Liquid Crystal Display）制御回路１２２、ＬＣＤ１２４、ＲＯＭ（Read Only Memory）１２６、バッテリ１２８、ホットシュー１３０及びスピーカ１３２を備えている。
【００２４】
操作部１０２には、電源スイッチやレリーズスイッチ、撮影モードスイッチなど、ユーザが撮影装置１を操作するために必要な各種スイッチが含まれる。ユーザにより電源スイッチが押されると、バッテリ１２８から撮影装置１の各種回路に電源ラインを通じて電源供給が行われる。なお、図１中、バッテリ１２８と各種回路との結線は、図面を簡明化する便宜上省略している。撮影装置側ＣＰＵ１００は電源供給後、ＲＯＭ１２６にアクセスして制御プログラムを読み出してワークエリア１００ａにロードし、ロードされた制御プログラムを実行することにより、撮影装置１全体の制御を行う。
【００２５】
ホットシュー１３０は、シンクロ接点を内蔵した外部装置取付用の座部であり、例えば閃光装置を装着することができる。図２は、閃光装置２をホットシュー１３０に装着したときの構成を示すブロック図である。なお、図２中、撮影装置１の構成要素について、図２の説明上不要なものを適宜省略している。
【００２６】
図２に示されるように、閃光装置２は、閃光装置側ＣＰＵ２００、閃光装置側端子２０２ａ１〜２０２ａｎ、バッテリ２０４及び発光部２０６を備えている。ユーザにより電源スイッチが押されると、バッテリ２０４から閃光装置２の各種回路に電源ラインを通じて電源供給が行われる。また、ホットシュー１３０は、シュー側端子１３０ａ１〜１３０ａｎを備えている。閃光装置２をホットシュー１３０に装着することにより、対応関係にある閃光装置側端子とシュー側端子とが電気的に接続されて、撮影装置側ＣＰＵ１００と閃光装置側ＣＰＵ２００とが通信可能となる。
【００２７】
レリーズスイッチが操作されると、撮影装置側ＣＰＵ１００は、撮影装置１に内蔵されたＴＴＬ（Through The Lens）露出計（不図示）で測定された測光値に基づき適正露出が得られるように、プログラムＡＥ（Automatic Exposure）、シャッタ速度優先ＡＥ、絞り優先ＡＥなど、撮影モードスイッチで指定されるＡＥ機能により、Ｆ値、シャッタスピード等の撮影条件を決定すると共に調光情報をホットシュー１３０のシンクロ接点及び対応する閃光装置側端子（例えばシュー側端子１３０ａｎと閃光装置側端子２０２ａｎ）を介して閃光装置側ＣＰＵ２００に伝達する。
【００２８】
撮影装置側ＣＰＵ１００は、決定された撮影条件に従い、絞り・シャッタ駆動回路１０４を介して絞り１０８及びシャッタ１１０を駆動制御すると共に発光開始のタイミングを閃光装置側ＣＰＵ２００に伝達して、発光部２０６の発光を閃光装置側ＣＰＵ２００に制御させる。
【００２９】
撮影装置側ＣＰＵ１００は、ＡＦ（Autofocus）制御も行う。ＡＦ制御には、アクティブ方式、位相差検出方式、コントラスト検出方式等が適用される。また、ＡＦモードには、中央一点の測距エリアを用いた中央一点測距モード、複数の測距エリアを用いた多点測距モード等がある。なお、この種のＡＥ及びＡＦの構成及び制御については周知であるため、ここでの詳細な説明は省略する。
【００３０】
被写体からの光束は、撮影レンズ１０６、絞り１０８、シャッタ１１０を通過して固体撮像素子１１２の受光面にて受光される。固体撮像素子１１２は、ベイヤ型画素配置を有する単板式カラーＣＣＤ（Charge Coupled Device）イメージセンサである。固体撮像素子１１２は、受光面上の各画素で結像した光学像を光量に応じた電荷として蓄積して、Ｒ（Red）、Ｇ（Green）、Ｂ（Blue）の画像信号を生成して出力する。なお、固体撮像素子１１２は、ＣＣＤイメージセンサに限らず、ＣＭＯＳ（Complementary Metal Oxide Semiconductor）イメージセンサやその他の種類の撮像装置に置き換えられてもよい。固体撮像素子１１２はまた、補色系フィルタを搭載したものであってもよい。
【００３１】
信号処理回路１１４は、固体撮像素子１１２より入力される画像信号（撮影データ）に対してクランプ、デモザイク等の所定の信号処理を施して、画像処理エンジン１１６に出力する。画像処理エンジン１１６は、信号処理回路１１４より入力される画像信号に対してマトリクス演算、Ｙ／Ｃ分離、ホワイトバランス等の所定の信号処理を施して輝度信号Ｙ、色差信号Ｃｂ、Ｃｒを生成し、ＪＰＥＧ（Joint Photographic Experts Group）等の所定のフォーマットで圧縮する。バッファメモリ１１８は、画像処理エンジン１１６による処理の実行時、処理データの一時的な保存場所として用いられる。また、撮影画像の保存形式は、ＪＰＥＧ形式に限らず、最小限の画像処理（例えばクランプ）しか施されないＲＡＷ形式であってもよい。
【００３２】
カード用インタフェース１２０のカードスロットには、メモリカード４００が着脱可能に差し込まれている。
【００３３】
画像処理エンジン１１６は、カード用インタフェース１２０を介してメモリカード４００と通信可能である。画像処理エンジン１１６は、生成された圧縮画像信号（撮影画像データ）をメモリカード４００（又は撮影装置１に備えられる不図示の内蔵メモリ）に保存する。
【００３４】
また、画像処理エンジン１１６は、生成された輝度信号Ｙ、色差信号Ｃｂ、Ｃｒをフレームメモリ（不図示）にフレーム単位でバッファリングする。画像処理エンジン１１６は、バッファリングされた信号を所定のタイミングで各フレームメモリから掃き出して所定のフォーマットのビデオ信号に変換し、ＬＣＤ制御回路１２２に出力する。ＬＣＤ制御回路１２２は、画像処理エンジン１１６より入力される画像信号を基に液晶を変調制御する。これにより、被写体の撮影画像がＬＣＤ１２４の表示画面に表示される。ユーザは、ＡＥ制御及びＡＦ制御に基づいて適正な輝度及びピントで撮影されたリアルタイムのスルー画（ライブビュー）を、ＬＣＤ１２４の表示画面を通じて視認することができる。
【００３５】
画像処理エンジン１１６は、ユーザにより撮影画像の再生操作が行われると、操作により指定された撮影画像データをメモリカード４００又は内蔵メモリより読み出して所定のフォーマットの画像信号に変換し、ＬＣＤ制御回路１２２に出力する。ＬＣＤ制御回路１２２が画像処理エンジン１１６より入力される画像信号を基に液晶を変調制御することで、被写体の撮影画像がＬＣＤ１２４の表示画面に表示される。
【００３６】
ホットシュー１３０には、閃光装置２以外にも、ファインダ、露出計、水準器、測距装置等の各種アクセサリを装着することができる。以下、説明の便宜上、これらのアクセサリに符号３を付す。図３は、アクセサリ３をホットシュー１３０に装着したときの構成を示すブロック図である。図３においても図２と同様に、撮影装置１の構成要素について、図３の説明上不要なものを適宜省略している。
【００３７】
図３に示されるように、アクセサリ３は、アクセサリ側ＣＰＵ３００、アクセサリ側端子３０２ａ１〜３０２ａｎ、ダイオード３０４及びコンデンサ３０６を備えている。撮影装置側ＣＰＵ１００は、シュー側端子１３０ａ１に所定の電気信号を定期的に出力している。アクセサリ３がホットシュー１３０に装着されている場合は、所定の電気信号がシュー側端子１３０ａ１を介してアクセサリ側端子３０２ａ１に入力されてダイオード３０４で整流され、コンデンサ３０６に蓄積される。
【００３８】
アクセサリ側ＣＰＵ３００は、コンデンサ３０６に蓄積された電力によって起動して、撮影装置側ＣＰＵ１００と通信可能となる。なお、アクセサリ側端子３０２ａ１の通信ラインは、図３に示さるように、ダイオード３０４の前段で分岐してアクセサリ側ＣＰＵ３００にも接続されている。また、他のアクセサリ側端子３０２ａ２〜３０２ａｎの通信ラインも全てアクセサリ側ＣＰＵ３００に接続されている。そのため、本実施形態では、電源回路（ダイオード３０４及びコンデンサ３０６）の影響を受けることなく、対応関係にある全てのアクセサリ側端子とシュー側端子とを用いて、撮影装置側ＣＰＵ１００とアクセサリ側ＣＰＵ３００とを通信させることができる。なお、供給電力が不足する場合は、同様の電源回路を他のアクセサリ側端子の通信ラインに追加してもよい。
【００３９】
別の観点によれば、既存の通信ラインを利用してアクセサリ３への電力供給が行われる。アクセサリ３への電力供給を行うためのハードウェア構成を撮影装置１に追加する必要がないことから、電力供給機能の追加に伴うコストアップが抑えられると共に意匠上の制約が増えることもない。
【００４０】
［外部装置装着時の処理フロー］
図４に、閃光装置２やアクセサリ３等の外部装置がホットシュー１３０に装着されたときに撮影装置側ＣＰＵ１００が実行する処理フローを示す。本処理フローは、外部装置と撮影装置側ＣＰＵ１００との通信開始と共に開始される。
【００４１】
［図４のＳ１１（外部装置との通信）］
本処理ステップＳ１１では、ホットシュー１３０に装着された外部装置との通信が行われる。
【００４２】
［図４のＳ１２（外部装置の種別判定）］
本処理ステップＳ１２では、ホットシュー１３０に装着された外部装置の種別が判定される。具体的には、処理ステップＳ１１（外部装置との通信）での通信結果に基づいて、ホットシュー１３０に装着された外部装置が閃光装置２又はアクセサリ３であるかが判定される。
【００４３】
［図４のＳ１３（設定変更）］
本処理ステップＳ１３は、処理ステップＳ１２（外部装置の種別判定）において、ホットシュー１３０に装着された外部装置がアクセサリ３であると判定された場合（Ｓ１２：アクセサリ３）に実行される。本処理ステップＳ１３では、撮影装置１の設定変更が自動的に行われる。
【００４４】
具体的には、本処理ステップＳ１３では、アクセサリ３に対応するプログラムがＲＯＭ１２６から読み出されてワークエリア１００ａにロードされると共にアクセサリ側ＣＰＵ３００が保持する設定値が読み出され、読み出された設定値を用いて該プログラムが実行される。又は、アクセサリ側ＣＰＵ３００より入力される指示信号に従い、アクセサリ３に対応するプログラムがＲＯＭ１２６から読み出されてワークエリア１００ａにロードされると共に撮影装置１の内部メモリに保持された設定値（アクセサリ３に対応するもの）が読み出され、読み出された設定値を用いて該プログラムが実行される。これにより、撮影装置１の設定変更が行われる。ホットシュー１３０に装着されたアクセサリ３に応じた設定変更が行われると、本フローは終了する。
【００４５】
処理ステップＳ１２（外部装置の種別判定）において、ホットシュー１３０に装着された外部装置が閃光装置２であると判定された場合（Ｓ１２：閃光装置２）は、閃光装置２を装着したことによる撮影装置１の自動的な設定変更が行われることなく本フローが終了する。
【００４６】
なお、アクセサリ３に対応するプログラムは、例えば、製品出荷段階で撮影装置１に予めインストールされたものに限らず、ユーザ操作によって撮影装置１にインストールされたものであってもよく、また、Wi-Fi接続時等に撮影装置１に自動的にインストールされたものであってもよい。
【００４７】
ホットシューのインタフェースについては、各製造メーカとも、銀塩カメラ時代に策定された仕様を継続的に使用していることが多い。そのため、現行機種や今後発売される機種のみならず過去の機種においても、アクセサリ３に対応するプログラムをインストールしてアクセサリ３をホットシュー１３０に装着することで、撮影装置１が自動的に設定変更されるようになる。
【００４８】
また、アクセサリ３には、例えば、ホットシュー１３０との接続時に発光し続けるなど、シュー側端子１３０ａ１を介した電力供給で動作し且つ撮影装置１との通信が不要なものがある。この種のアクセサリ３は、対応プログラムが不要であることから、新たなプログラムをインストールする機能を持たない古い機種においても利用することができる。
【００４９】
次に、本処理ステップＳ１３にて実行される撮影装置１の設定変更の具体的ケースを複数説明する。
【００５０】
・ケース１
ケース１は、黄系統で塗装されたカメラボディを持つ撮影装置１のホットシュー１３０に、同じく黄系統で塗装された外装を持つアクセサリ３Ａを装着したときに自動実行される設定変更例である。図５（ａ）は、ケース１においてアクセサリ３Ａがホットシュー１３０に装着される前の状態を示し、図５（ｂ）は、ケース１においてアクセサリ３Ａがホットシュー１３０に装着された後の状態を示す。
【００５１】
例えば撮影装置１の購入時には、図５（ａ）に示されるように、ＬＣＤ１２４の表示画面に表示されるメニューの構成色が機種共通のデフォルトカラー（例えば黒系統など）となっている。アクセサリ３Ａがホットシュー１３０に装着されると、撮影装置側ＣＰＵ１００は、アクセサリ３Ａに対応するプログラムをＲＯＭ１２６から読み出してワークエリア１００ａにロードすると共にアクセサリ側ＣＰＵ３００が保持する設定値（メニューの構成色に関する設定値）を読み出し、読み出された設定値を用いて該プログラムを実行する。これにより、ＬＣＤ１２４の表示画面に表示されるメニューの構成色が撮影装置１のカメラボディやアクセサリ３Ａの外装と同じ黄系統に設定変更される。
【００５２】
また、別の系統色（例えば青系統）で塗装されたアクセサリ３を青系統のボディカラーを持つ撮影装置１のホットシュー１３０に装着した場合は、メニューの構成色が青系統に設定変更される。
【００５３】
このように、ケース１によれば、撮影装置１のボディカラーに対応するアクセサリ３をホットシュー１３０に装着するという簡易な作業だけで、メニューの構成色がボディカラーと同系統の色（ボディカラーと色彩的に一体感のあるメニュー）に自動的に設定変更される。なお、メニューの構成色は、ユーザ側に限らず製品出荷時にメーカ側で同様の方法を用いて設定変更してもよい。また、設定変更の対象となる表示部は、ボディ背面に設けられたＬＣＤ１２４に限らず、例えばボディ上面に設けられた表示パネルなど、他の表示部であってもよい。
【００５４】
・ケース２
ケース２は、あるキャラクタとのコラボレーションモデルである撮影装置１のホットシュー１３０に、該キャラクタを模した外観形状を持つアクセサリ３を装着したときに自動実行される設定変更例である。アクセサリ３Ｂ、３Ｃはそれぞれ、キャラクタＢ、Ｃを模した外観形状を持つ。図６は、ケース２においてアクセサリ３Ｂがホットシュー１３０に装着されたときの状態を示す。
【００５５】
アクセサリ３Ｂがホットシュー１３０に装着されると、撮影装置側ＣＰＵ１００は、アクセサリ３Ｂに対応するプログラムをＲＯＭ１２６から読み出してワークエリア１００ａにロードすると共にアクセサリ側ＣＰＵ３００が保持する設定値（キャラクタＢに関する設定値）を読み出し、読み出された設定値を用いて該プログラムを実行する。これにより、例えば、メニュー内にキャラクタＢのアイコンが表示されたり、メニューがキャラクタＢのテーマに設定変更されたり、キャラクタＢに関連する特別なカメラエフェクトやシャッタ音等が設定されたりする。これらの設定変更は、個別に実行されてもよく一括に実行されてもよい。シャッタ音等の音声は、レリーズスイッチ押下時等の所定のタイミングでスピーカ１３２を介して再生される。
【００５６】
また、アクセサリ３Ｃがホットシュー１３０に装着されると、撮影装置側ＣＰＵ１００は、アクセサリ３Ｃに対応するプログラムをＲＯＭ１２６から読み出してワークエリア１００ａにロードすると共にアクセサリ側ＣＰＵ３００が保持する設定値（キャラクタＣに関する設定値）を読み出し、読み出された設定値を用いて該プログラムを実行する。これにより、例えば、図６に示されるように、メニュー内にキャラクタＣのアイコンが表示されたり、メニューがキャラクタＣのテーマに設定変更されたり、キャラクタＣに関連する特別なカメラエフェクトやシャッタ音等が設定されたりする。
【００５７】
このように、ケース２によれば、各キャラクタに対応するアクセサリ３をホットシュー１３０に装着するという簡易な作業だけで、該キャラクタに関する設定変更が自動的に行われる。
【００５８】
・ケース３
機能制限を特段行わないメニューモード（以下、便宜上「一般ユーザ向けモード」と記す。）から機能を制限してシンプルなメニューモード（以下、便宜上「初心者ユーザ向けモード」と記す。）に設定変更可能な撮影装置が知られている。ケース３は、撮影装置１のホットシュー１３０にアクセサリ３Ｄを装着したときに自動実行される設定変更例である。図７は、ケース３においてアクセサリ３Ｄがホットシュー１３０に装着されたときの状態を示す。
【００５９】
アクセサリ３Ｄがホットシュー１３０に装着されると、撮影装置側ＣＰＵ１００は、アクセサリ３Ｄに対応するプログラムをＲＯＭ１２６から読み出してワークエリア１００ａにロードすると共にアクセサリ側ＣＰＵ３００が保持する設定値（初心者ユーザ向けモードに関する設定値）を読み出し、読み出された設定値を用いて該プログラムを実行する。これにより、撮影装置１のメニューモードが一般ユーザ向けモードから初心者ユーザ向けモードに設定変更される。
【００６０】
例えば、フラッシュについては、一般ユーザ向けモードでは、「自動発光／強制発光／発光禁止」「先幕シンクロ／後幕シンクロ」「赤目軽減オン／オフ」等を設定し実行できるメニューとなっているが、初心者ユーザ向けモードでは、「オート（自動発光＋赤目オン）／オフ（発光禁止＋赤目軽減オフ）」だけを設定し実行できるようにメニューが変更される。また、静止画の記録フォーマットについては、一般ユーザ向けモードでは、「ＪＰＥＧ／ＲＡＷ」「ＪＰＥＧ記録サイズ（Ｓ／Ｍ／Ｌ）」「ＪＰＥＧ圧縮（高／中／低）」等を設定できるメニューとなっているが、初心者ユーザ向けモードでは、ＪＰＥＧに限定して「高精細（Ｌサイズ＋低圧縮）／標準（Ｍサイズ＋中圧縮）／メモリ節約（Ｓサイズ＋高圧縮）」だけを設定できるようにメニューが変更される。
【００６１】
アクセサリ３の装着時に設定変更可能なメニューモードは、初心者ユーザ向けモードに限らない。例えばアクセサリ３Ｅをホットシュー１３０に装着する場合を考える。アクセサリ３Ｅは、例えば撮影装置１で設定されたメニューに関する設定値を保存する機能を備える。アクセサリ３Ｅがホットシュー１３０に装着されると、撮影装置側ＣＰＵ１００は、アクセサリ３Ｅに対応するプログラムをＲＯＭ１２６から読み出してワークエリア１００ａにロードすると共にアクセサリ側ＣＰＵ３００が保持する設定値（メニューに関する設定値）を読み出し、読み出された設定値を用いて該プログラムを実行する。これにより、撮影装置１のメニューがユーザによってカスタムされた内容に設定変更される。そのため、ユーザは、例えば撮影装置１の起動後に使用頻度の高い設定に毎回変更するという手間がなくなる。
【００６２】
このように、ケース３によれば、各メニュー内容に対応するアクセサリ３をホットシュー１３０に装着するという簡易な作業だけで、特定のメニュー内容への設定変更が自動的に行われる。ケース３によれば、特定のメニュー内容に設定変更するための専用スイッチを撮影装置１に設ける必要がないことから、撮影装置１の部品点数の削減や小型化に有利である。別の観点によれば、該専用スイッチに別の機能を割り当てることができる。
【００６３】
また、撮影装置１がメニューに関する設定値を内部メモリに保存する機能を備える場合を考える。この場合、撮影装置１は、例えばアクセサリ側ＣＰＵ３００より入力される指示信号に従って内部メモリ内の設定値を読み出し、読み出された設定値を用いてメニューを設定変更する。この場合も、アクセサリ３をホットシュー１３０に装着するという簡易な作業だけで、メニューがユーザによってカスタムされた内容に自動的に設定変更される。
【００６４】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本願の実施形態に含まれる。
【００６５】
上記においては、ホットシュー１３０に装着されるアクセサリ３に応じて表示画面内のメニュー内容が変更されるケースを説明したが、別の実施形態では、撮影装置１のメカニカルな操作釦に割り当てられている機能がホットシュー１３０に装着されるアクセサリ３に応じて設定変更されてもよい。
【符号の説明】
【００６６】
１  撮影装置
２  閃光装置
３  アクセサリ
１００  撮影装置側ＣＰＵ
１００ａ  ワークエリア
１０２  操作部
１０４  絞り・シャッタ駆動回路
１０６  撮影レンズ
１０８  絞り
１１０  シャッタ
１１２  固体撮像素子
１１４  信号処理回路
１１６  画像処理エンジン
１１８  バッファメモリ
１２０  カード用インタフェース
１２２  ＬＣＤ制御回路
１２４  ＬＣＤ
１２６  ＲＯＭ
１２８  バッテリ
１３０  ホットシュー
１３０ａ１〜１３０ａｎ  シュー側端子
１３２  スピーカ
２００  閃光装置側ＣＰＵ
２０２ａ１〜２０２ａｎ  閃光装置側端子
２０４  バッテリ
２０６  発光部
３００  アクセサリ側ＣＰＵ
３０２ａ１〜３０２ａｎ  アクセサリ側端子
３０４  ダイオード
３０６  コンデンサ
４００  メモリカード
【図１】
2016051957.tif 000003
【図２】
2016051957.tif 000004
【図３】
2016051957.tif 000005
【図４】
2016051957.tif 000006
【図５】
2016051957.tif 000007
【図６】
2016051957.tif 000008
【図７】
2016051957.tif 000009